【手続補正書】
【提出日】平成20年2月15日(2008.2.15)
【手続補正１】
【補正対象書類名】明細書
【補正対象項目名】特許請求の範囲
【補正方法】変更
【補正の内容】
【特許請求の範囲】    【請求項１】  心室をマッピングするためのカテーテルおよびコンソールの組合せにおいて、  電磁場を発生させるための少なくとも１つの電磁場発生器に作用可能に接続されている駆動回路を含むコンソールであって、当該コンソールはまた、位置情報を決定するための信号プロセッサを含む、コンソールと、  カテーテルであって、    （i）基端部および先端部を有する本体部分であって、前記先端部は先端チップを有する、本体部分、    （ii）前記先端チップに設けられた接触電極、    （iii）前記本体部分の前記先端部上に設けられた非接触式電極のアレイであって、前記アレイは、基端部および先端部を有し、前記非接触式電極は、前記本体部分の長手軸に沿って線形に配列されている、アレイ、ならびに、    前記本体部分の前記先端部上に設けられた、少なくとも１つの位置センサーであって、前記位置センサーは、前記接触電極の位置および前記非接触式電極の位置を決定するために、前記電磁場に応じて、前記信号プロセッサによって用いられる信号を発生させるようになっており、前記非接触式電極の前記位置は、前記少なくとも１つの位置センサーによって発生させられた前記信号から前記信号プロセッサによって決定され、前記信号プロセッサは、少なくとも１回の心臓周期全体の間、第１動作モードにおいて、前記非接触式電極のみから第１電気的情報を取得し、第２動作モードにおいて、前記接触電極および前記非接触式電極から前記心室の形状の最小空間を表現するために第２電気的情報を取得する、少なくとも１つの位置センサー、  を含む、カテーテルと、  を含む、カテーテルおよびコンソールの組合せ。    【請求項２】  請求項１に記載のカテーテルおよびコンソールの組合せにおいて、  前記少なくとも１つの位置センサーは、前記カテーテルの先端チップよりも基端側に設けられている、カテーテルおよびコンソールの組合せ。    【請求項３】  請求項１に記載のカテーテルおよびコンソールの組合せにおいて、  前記少なくとも１つの位置センサーは、第１の位置センサーおよび第２の位置センサーを含み、  前記非接触式電極のアレイは、前記第１の位置センサーと前記第２の位置センサーとの間に位置され、  前記第２の位置センサーは、前記カテーテルの先端チップよりも基端側に位置されている、カテーテルおよびコンソールの組合せ。    【請求項４】  請求項３に記載のカテーテルおよびコンソールの組合せにおいて、  前記第１の位置センサーおよび前記第２の位置センサーの少なくとも一方は、６成分の位置情報を供給する、カテーテルおよびコンソールの組合せ。    【請求項５】  請求項４に記載のカテーテルおよびコンソールの組合せにおいて、  前記第１の位置センサーおよび前記第２の位置センサーはそれぞれ、６成分の位置情報を供給する、カテーテルおよびコンソールの組合せ。    【請求項６】  請求項３に記載のカテーテルおよびコンソールの組合せにおいて、  前記第１の位置センサーおよび前記第２の位置センサーの少なくとも一方は、電磁式位置センサーである、カテーテルおよびコンソールの組合せ。    【請求項７】  請求項１に記載のカテーテルおよびコンソールの組合せにおいて、  前記先端チップの接触電極は、バイポーラ電極��ある、カテーテルおよびコンソールの組合せ。    【請求項８】  請求項１に記載のカテーテルおよびコンソールの組合せにおいて、  前記電極アレイは、約１２個〜約３２個の非接触式電極により構成されている、カテーテルおよびコンソールの組合せ。    【請求項９】  請求項８に記載のカテーテルおよびコンソールの組合せにおいて、  前記アレイは、約１６個〜約２４個の電極により構成されている、カテーテルおよびコンソールの組合せ。    【請求項１０】  請求項３に記載のカテーテルおよびコンソールの組合せにおいて、  前記先端チップの接触電極は、バイポーラ電極である、カテーテルおよびコンソールの組合せ。    【請求項１１】  カテーテルおよびコンソールの組合せにおいて、  （ａ）電磁場を発生させるための少なくとも１つの電磁場発生器に作用可能に接続されている駆動回路を含むコンソールであって、当該コンソールはまた、位置情報を決定するための信号プロセッサを含む、コンソールと、  （ｂ）カテーテルであって、    （i）基端部および先端部を有する本体部分であって、前記先端部は先端チップを有する、本体部分、    前記本体部分の前記先端部上に設けられた非接触式電極のアレイであって、前記アレイは、基端部および先端部を有し、前記非接触式電極は、前記本体部分の長手軸に沿って線形に配列されている、アレイ、ならびに、    前記先端チップよりも基端側に設けられた少なくとも１つの位置センサーであって、前記位置センサーは、前記非接触式電極の位置を決定するために、前記電磁場に応じて、前記信号プロセッサによって用いられる信号を発生させるようになっており、前記少なくとも１つの位置センサーは、第１の位置センサーおよび第２の位置センサーを含み、前記第１の位置センサーは、前記カテーテル先端チップよりも基端側に設けられ、前記第２の位置センサーは、前記非接触式電極アレイの前記基端部よりも基端側に設けられており、前記非接触式電極の前記位置は、前記少なくとも１つの位置センサーによって発生させられた前記信号から前記信号プロセッサによって決定され、前記信号プロセッサは、心室の形状の最小空間を表現するために前記非接触式電極の前記位置を用い、前記少なくとも１つの位置センサーは、６成分の位置情報を供給する、少なくとも１つの位置センサー、  を含む、カテーテルと、  を含む、カテーテルおよびコンソールの組合せ。    【請求項１２】  請求項１１に記載のカテーテルおよびコンソールの組合せにおいて、  前記第１の位置センサーおよび前記第２の位置センサーの少なくとも一方は、電磁式位置センサーである、カテーテルおよびコンソールの組合せ。    【請求項１３】  心室の電気的マップを作成するための装置であって、前記マップは前記心室の電気的特性を心室の形状の関数として示す、装置において、  電磁場を発生させるための少なくとも１つの電磁場発生器に作用可能に接続されている駆動回路を含むコンソールであって、当該コンソールはまた、位置情報を決定するための信号プロセッサを含む、コンソールと、  カテーテルであって、    基端部および先端部を有する本体部分であって、前記先端部は先端チップを有する、本体部分、    前記先端チップに設けられた接触電極、    前記本体部分��前記先端部上に設けられた非接触式電極のアレイであって、前記アレイは、基端部および先端部を有し、前記非接触式電極は、前記本体部分の長手軸に沿って線形に配列されている、アレイ、ならびに、    前記本体部分の前記先端部に設けられた少なくとも１つの位置センサーであって、前記位置センサーは、前記接触電極の位置および前記非接触式電極の位置を決定するために、前記電磁場に応じて、前記信号プロセッサによって用いられる信号を生成させるようになっており、前記非接触式電極の前記位置は、前記少なくとも１つの位置センサーによって発生させられた前記信号から前記信号プロセッサによって決定され、前記信号プロセッサは、前記心室の形状の最小の空間を表現するために前記非接触式電極の前記位置を用いる、少なくとも１つの位置センサー、  を含む、カテーテルと、  を含み、  前記カテーテルは、複数の接触点において前記心室の壁部を前記接触電極と接触させるように構成されており、  前記信号プロセッサは、前記位置センサーから位置情報を取得するために前記カテーテルに操作可能に接続されており、前記接触電極が前記接触点のそれぞれと接触している間、少なくとも１回の心臓周期にわたって、第１の動作モードにおいて、前記非接触式電極からのみ第１の電気的情報を取得し、第２の動作モードにおいて、前記接触電極および前記非接触式電極から第２の電気的情報を取得し、  前記信号プロセッサはまた、取得した前記位置情報、ならびに前記第１の電気的情報および前記第２の電気的情報のうちの一方から、前記心室の電気的マップを作成する、装置。    【請求項１４】  請求項１３に記載の装置において、前記カテーテルは、第１の位置センサーおよび第２の位置センサーを含む、装置。    【請求項１５】  請求項１４に記載の装置において、  前記第１の位置センサーおよび前記第２の位置センサーの少なくとも一方は、電磁式位置センサーである、装置。    【請求項１６】  請求項１４に記載の装置において、  前記第１の位置センサーは、前記カテーテル先端チップよりも基端側に設けられている、装置。    【請求項１７】  請求項１６に記載の装置において、  前記第２の位置センサーは、前記電極アレイの前記基端部よりも基端側に設けられている、装置。    【請求項１８】  心室の電気的マップを作成するための装置であって、前記マップは前記心室の電気的特性を心室の形状の関数として示している、装置において、  （ａ）電磁場を発生させるための少なくとも１つの電磁場発生器に作用可能に接続されている駆動回路を含むコンソールであって、当該コンソールはまた、位置情報を決定するための信号プロセッサを含む、コンソールと、  （ｂ）カテーテルであって、    基端部および先端部を有する本体部分であって、前記先端部は先端チップを有する、本体部分、    前記本体部分の前記先端部上に設けられた非接触式電極のアレイであって、前記アレイは基端部および先端部を有し、前記非接触式電極は、前記本体部分の長手軸に沿って線形に配列されている、アレイ、ならびに、    前記カテーテル先端チップよりも基端側に設けられている少なくとも１つの位置センサーであって、前記位置センサーは、前記非接触式電極の位置を決定するために、前記電��場に応じて、前記信号プロセッサによって用いられる信号を生成させるようになっており、前記少なくとも１つの位置センサーは第１の位置センサーおよび第２の位置センサーを含む、少なくとも１つの位置センサー、  を含む、カテーテルと、  を含み、  前記非接触式電極のアレイは、前記第１の位置センサーと前記第２の位置センサーとの間に位置され、前記第２の位置センサーは前記カテーテル先端チップよりも基端側に位置され、前記非接触式電極の前記位置は、前記少なくとも１つの位置センサーによって発生させられた前記信号用の前記信号プロセッサによって決定され、前記信号プロセッサは前記心室の形状の最小空間を表現するために前記非接触式電極の前記位置を用い、  前記カテーテルは、複数の接触点において前記心室の壁部を前記カテーテル先端チップと接触させるように構成されており、  前記信号プロセッサは、前記カテーテル先端チップが前記各接触点に接触した状態で少なくとも１回の心臓周期にわたって、電気的情報および位置情報をそれぞれ、前記各電極および位置センサーから取得し、  前記信号プロセッサはまた、取得した前記位置情報および前記電気的情報から前記心室の電気的マップを作成し、前記少なくとも１つの位置センサーは、６成分の位置情報を供給する、装置。    【請求項１９】  請求項１８に記載の装置において、  前記第１の位置センサーおよび前記第２の位置センサーの少なくとも一方は、電磁式位置センサーである、装置。    【請求項２０】  心室の電気的マップを作成するための方法であって、前記マップは前記心室の電気的特性を心室の形状の関数として示す、方法において、  カテーテルを供給する工程であって、前記カテーテルは、    基端部、および先端チップを有する先端部を有する本体部分、    前記先端チップに設けられた接触電極、    前記本体部分の前記先端部上に設けられた非接触式電極のアレイであって、前記アレイは、基端部および先端部を有し、前記非接触式電極は、前記本体部分の長手軸に沿って線形に配列されている、アレイ、ならびに、    前記本体部分の前記先端部上に設けられた少なくとも１つの位置センサー、  を含む、工程と、  前記カテーテルを前記心室の中に進入させる工程と、  前記少なくとも１つの位置センサーを用いて前記接触電極の位置および前記非接触式電極の位置を決定するために信号プロセッサを用いる工程と、  複数の接触点において前記心室の壁部を前記接触電極と接触させる工程と、  前記信号プロセッサを用いて、前記各電極および前記少なくとも１つの位置センサーから、電気的情報および位置情報をそれぞれ取得する工程であって、前記取得工程は前記接触電極が前記各接触点に接触した状態で少なくとも１回の心臓周期にわたって行ない、前記電気的情報は、前記非接触式電極からの第１電気的情報、ならびに前記接触電極および前記非接触式電極からの第２電気的情報を含む、工程と、  前記少なくとも１回の心臓周期の間、第１動作モードにおいて、前記非接触式電極から前記第１電気的情報のみを取得すること、ならびに、第２動作モードにおいて、前記接触電極および前記非接触式電極からの前記第２電気的情報を取得することによって、前記信号プロセッサにより前記心室の形状の最小空間を決定する工程と、  取得した前記位置情報、ならびに前記第１電気的情報および前記第２電気的情報のうちの一方に基づいて、前記心室の電気的マップを作成する工程と、  を含む、方法。【手続補正２】
【補正対象書類名】明細書
【補正対象項目名】００８６
【補正方法】変更
【補正の内容】
【００８６】  本発明の実施態様は以下の通りである。    （Ａ）  カテーテルにおいて、  基端部および先端位置を有する先端部を有する本体部分と、  前記先端位置における接触電極と、  前記本体部分の先端部上における基端部および先端部を有する非接触式電極のアレイと、  前記本体部分の先端部における少なくとも１個の位置センサーとから成るカテーテル。  （１）前記少なくとも１個の位置センサーが前記カテーテルの先端位置よりも基端側に配置されている実施態様（Ａ）に記載のカテーテル。  （２）前記少なくとも１個の位置センサーが第１の位置センサーおよび第２の位置センサーにより構成されている実施態様（Ａ）に記載のカテーテル。  （３）前記第１の位置センサーが前記カテーテルの先端位置よりも基端側に配置されていて、前記第２の位置センサーが前記非接触式電極のアレイの基端部よりも基端側に配置されている実施態様（２）に記載のカテーテル。  （４）前記第１の位置センサーおよび前記第２の位置センサーの少なくとも一方が６成分の位置情報を供給する実施態様（３）に記載のカテーテル。  （５）前記第１の位置センサーおよび前記第２の位置センサーがそれぞれ６成分の位置情報を供給する実施態様（４）に記載のカテーテル。【手続補正３】
【補正対象書類名】明細書
【補正対象項目名】００８７
【補正方法】変更
【補正の内容】
【００８７】  （６）前記第１の位置センサーおよび前記第２の位置センサーの少なくとも一方が電磁式位置センサーである実施態様（２）に記載のカテーテル。  （７）前記先端位置の接触電極がバイポーラ電極である実施態様（Ａ）に記載のカテーテル。  （８）前記電極アレイが約１２個乃至約３２個の非接触式電極により構成されている実施態様（Ａ）に記載のカテーテル。  （９）前記アレイが約１６個乃至約２４個の電極により構成されている実施態様（８）に記載のカテーテル。  （１０）前記先端位置の接触電極がバイポーラ電極である実施態様（２）に記載のカテーテル。【手続補正４】
【補正対象書類名】明細書
【補正対象項目名】００８８
【補正方法】変更
【補正の内容】
【００８８】    （Ｂ）  カテーテルにおいて、基端部および先端位置を有する先端部を有する本体部分と、  前記先端位置における接触電極と、  前記本体部分の先端部上における基端部および先端部を有する非接触式電極のアレイと、  前記本体部分の先端位置よりも基端側における少なくとも１個の位置センサーとから成るカテーテル。  （１１）前記少なくとも１個の位置センサーが第１の位置センサーおよび第２の位置センサーにより構成されている実施態様（Ｂ）に記載のカテーテル。  （１２）前記第１の位置センサーが前記カテーテルの先端位置よりも基端側に配置されていて、前記第２の位置センサーが前記非接触式電極のアレイの基端部よりも基端側に配置されている実施態様（１１）に記載のカテーテル。  （１３）前記第１の位置センサーおよび前記第２の位置センサーの少なくとも一方が電磁式位置センサーである実施態様（１１）に記載のカテーテル。  （１４）心室の電気的マップを作成するための方法において、当該マップが心室の電気的特性を心室の形状の関数として示し、（ａ）基端部および先端位置を有する先端部を有する本体部分と、当該先端位置における接触電極と、本体部分の先端部上における基端部および先端部を有する非接触式電極のアレイと、本体部分の先端部における少なくとも１個の位置センサーとにより構成されているカテーテルを供給する工程と、（ｂ）前記カテーテルを心室の中に進入させる工程と、（ｃ）前記接触電極を複数の接触点において心室の壁部に接触させる工程と、（ｄ）前記各電極および前記少なくとも１個の位置センサーにより、それぞれ、電気的情報および位置情報を取得する工程とから成り、当該取得工程を前記接触電極が前記各接触点に接触した状態で少なくとも１回の心臓周期にわたって行ない、さらに、（ｅ）前記取得した位置情報および電気的情報に基づいて心室の電気的マップを作成する工程から成る方法。  （１５）前記少なくとも１個の位置センサーが第１の位置センサーおよび第２の位置センサーにより構成されている実施態様（１４）に記載の方法。【手続補正５】
【補正対象書類名】明細書
【補正対象項目名】００９３
【補正方法】変更
【補正の内容】
【００９３】  （３６）前記第２の位置センサーが前記電極アレイの基端部よりも基端側に配置されている実施態様（３５）に記載の方法。  （３７）前記電気的マップに基づいて心室の一部分を焼灼する処理を含む実施態様（３３）に記載の方法。  （３８）さらに、前記焼灼処理の効果を確認する処理により構成されている実施態様（３７）に記載の方法。  （３９）前記確認処理が前記焼灼処理に続いて前記カテーテルから付加的な電気的情報を取得する処理により構成されている実施態様（３８）に記載の方法。    （Ｃ）  心室の電気的マップを作成するための装置において、当該マップが心室の電気的特性を心室の形状の関数として示し、  基端部および先端位置を有する先端部を有する本体部分と、当該先端位置における接触電極と、本体部分の先端部上における基端部および先端部を有する非接触式電極のアレイと、本体部分の先端部における少なくとも１個の位置センサーとにより構成されているカテーテルから成り、当該カテーテルが前記接触電極を心室の壁部に対して複数の接触点において接触させるように構成されており、さらに、  前記接触電極が前記各接触点に接触した状態で少なくとも１回の心臓周期にわたって、前記各電極および位置センサーからそれぞれ電気的情報および位置情報を取得するために前記カテーテルに操作可能に接続されている信号プロセッサから成り、当該信号プロセッサも前記取得した位置情報および電気的情報に基づいて心室の電気的マップを作成する装置。  （４０）前記少なくとも１個の位置センサーが第１の位置センサーおよび第２の位置センサーにより構成されている実施態様（Ｃ）に記載の装置。【手続補正６】
【補正対象書類名】明細書
【補正対象項目名】００９４
【補正方法】変更
【補正の内容】
【００９４】  （４１）前記第１の位置センサーおよび前記第２の位置センサーの少なくとも一方が電磁式位置センサーである実施態様（４０）に記載の装置。  （４２）前記第１の位置センサーが前記カテーテルの先端位置よりも基端側に配置されている実施態様（４０）に記載の装置。  （４３）前記第２の位置センサーが前記電極アレイの基端部よりも基端側に配置されている実施態様（４２）に記載の装置。    （Ｄ）  心室の電気的マップを作成するための装置において、当該マップが心室の電気的特性を心室の形状の関数として示し、  基端部および先端位置を有する先端部を有する本体部分と、当該本体部分の先端部上における基端部および先端部を有する非接触式電極のアレイと、本体部分の先端位置よりも基端側における少なくとも１個の位置センサーとにより構成されているカテーテルから成り、当該カテーテルが前記本体部分の先端位置を心室の壁部に対して複数の接触点において接触させるように構成されており、さらに、  前記本体部分の先端位置が前記各接触点に接触した状態で少なくとも１回の心臓周期にわたって、前記各電極および位置センサーからそれぞれ電気的情報および位置情報を取得するための信号プロセッサから成り、当該信号プロセッサも前記取得した位置情報および電気的情報に基づいて心室の電気的マップを作成する装置。  （４４）前記少なくとも１個の位置センサーが第１の位置センサーおよび第２の位置センサーにより構成されている実施態様（Ｄ）に記載の装置。  （４５）前記第１の位置センサーおよび前記第２の位置センサーの少なくとも一方が電磁式位置センサーである実施態様（４４）に記載の装置。  （４６）前記第１の位置センサーが前記カテーテルの先端位置よりも基端側に配置されている実施態様（４４）に記載の装置。  （４７）前記第２の位置センサーが前記電極アレイの基端部よりも基端側に配置されている実施態様（４６）に記載の装置。